(57)【要約】【課題】本発明によれば、基地局と移動局装置が参照信号に関するパラメータを決定し、効率的に通信することができる基地局装置、移動局装置、通信方法、集積回路および無線通信システムを提供する。【解決手段】基地局装置と通信する移動局装置であって、物理下りリンク制御チャネルをコモンサーチスペースで検出した場合には、第１のパラメータを使用して生成された参照信号を前記基地局装置から受信し、前記物理下りリンク制御チャネルをユーザー装置スペシフィックサーチスペースで検出した場合には、第２のパラメータを使用して生成された参照信号を前記基地局装置から受信する。【選択図】図６
2013187591.tif 000002
【特許請求の範囲】
【請求項１】
基地局装置と通信する移動局装置であって、
物理下りリンク制御チャネルをコモンサーチスペースで検出した場合には、第１のパラメータを使用して生成された参照信号を前記基地局装置から受信し、
前記物理下りリンク制御チャネルをユーザー装置スペシフィックサーチスペースで検出した場合には、第２のパラメータを使用して生成された前記参照信号を前記基地局装置から受信する
ことを特徴とする移動局装置。
【請求項２】
前記第１のパラメータは、物理レイヤセルアイデンティティである
ことを特徴とする請求項１に記載の移動局装置。
【請求項３】
前記第２のパラメータは、上位層によって設定された複数のパラメータの中から、前記物理下りリンク制御チャネルで送信される下りリンク制御情報を使用して指示される
ことを特徴とする請求項１または請求項２に記載の移動局装置。
【請求項４】
移動局装置と通信する基地局装置であって、
物理下りリンク制御チャネルをコモンサーチスペースで配置する場合には、第１のパラメータを使用して生成した参照信号を前記移動局装置へ送信し、
前記物理下りリンク制御チャネルをユーザー装置スペシフィックサーチスペースに配置する場合には、第２のパラメータを使用して生成した前記参照信号を前記移動局装置へ送信する
ことを特徴とする基地局装置。
【請求項５】
前記第１のパラメータは、物理レイヤセルアイデンティティである
ことを特徴とする請求項４に記載の基地局装置。
【請求項６】
前記第２のパラメータは、上位層によって設定された複数のパラメータの中から、前記物理下りリンク制御チャネルで送信される下りリンク制御情報を使用して指示される
ことを特徴とする請求項４または請求項５に記載の基地局装置。
【請求項７】
基地局装置と通信する移動局装置の通信方法であって、
物理下りリンク制御チャネルをコモンサーチスペースで検出した場合には、第１のパラメータを使用して生成された参照信号を前記基地局装置から受信し、
前記物理下りリンク制御チャネルをユーザー装置スペシフィックサーチスペースで検出した場合には、第２のパラメータを使用して生成された前記参照信号を前記基地局装置から受信する
ことを特徴とする通信方法。
【請求項８】
前記第１のパラメータは、物理レイヤセルアイデンティティである
ことを特徴とする請求項７に記載の通信方法。
【請求項９】
前記第２のパラメータは、上位層によって設定された複数のパラメータの中から、前記物理下りリンク制御チャネルで送信される下りリンク制御情報を使用して指示される
ことを特徴とする請求項７または請求項８に記載の通信方法。
【請求項１０】
移動局装置と通信する基地局装置の通信方法であって、
物理下りリンク制御チャネルをコモンサーチスペースで配置する場合には、第１のパラメータを使用して生成された参照信号を前記移動局装置へ送信し、
前記物理下りリンク制御チャネルをユーザー装置スペシフィックサーチスペースに配置する場合には、第２のパラメータを使用して生成された前記参照信号を前記移動局装置へ送信する
ことを特徴とする通信方法。
【請求項１１】
前記第１のパラメータは、物理レイヤセルアイデンティティである
ことを特徴とする請求項９に記載の通信方法。
【請求項１２】
前記第２のパラメータは、上位層によって設定された複数のパラメータの中から、前記物理下りリンク制御チャネルで送信される下りリンク制御情報を使用して指示される
ことを特徴とする請求項１０または請求項１１に記載の通信方法。
【請求項１３】
基地局装置と通信する移動局装置に搭載される集積回路であって、
物理下りリンク制御チャネルをコモンサーチスペースで検出した場合には、第１のパラメータを使用して生成された参照信号を前記基地局装置から受信する機能と、
前記物理下りリンク制御チャネルをユーザー装置スペシフィックサーチスペースで検出した場合には、第２のパラメータを使用して生成された前記参照信号を前記基地局装置から受信する機能と、を前記移動局装置へ発揮させる
ことを特徴とする集積回路。
【請求項１４】
前記第１のパラメータは、物理レイヤセルアイデンティティである
ことを特徴とする請求項１３に記載の集積回路。
【請求項１５】
前記第２のパラメータは、上位層によって設定された複数のパラメータの中から、前記物理下りリンク制御チャネルで送信される下りリンク制御情報を使用して指示される
ことを特徴とする請求項１３または請求項１４に記載の集積回路。
【請求項１６】
移動局装置と通信する基地局装置に搭載される集積回路であって、
物理下りリンク制御チャネルをコモンサーチスペースで配置する場合には、第１のパラメータを使用して生成された参照信号を前記移動局装置へ送信する機能と、
前記物理下りリンク制御チャネルをユーザー装置スペシフィックサーチスペースに配置する場合には、第２のパラメータを使用して生成された前記参照信号を前記移動局装置へ送信する機能と、を前記基地局装置へ発揮させる
ことを特徴とする集積回路。
【請求項１７】
前記第１のパラメータは、物理レイヤセルアイデンティティである
ことを特徴とする請求項１６に記載の集積回路。
【請求項１８】
前記第２のパラメータは、上位層によって設定された複数のパラメータの中から、前記物理下りリンク制御チャネルで送信される下りリンク制御情報を使用して指示される
ことを特徴とする請求項１６または請求項１７に記載の集積回路。
【請求項１９】
基地局装置と移動局装置が通信する無線通信システムであって、
前記基地局装置は、
第１のパラメータを使用して生成された参照信号または第２のパラメータを使用して生成された前記参照信号を前記移動局装置へ送信し
前記移動局装置は、
前記物理下りリンク制御チャネルをコモンサーチスペースで検出した場合には、前記第１のパラメータを使用して生成された前記参照信号を前記基地局装置から受信し、
前記物理下りリンク制御チャネルをユーザー装置スペシフィックサーチスペースで検出した場合には、前記第２のパラメータを使用して生成された前記参照信号を前記基地局装置から受信する
ことを特徴とする無線通信システム。
【発明の詳細な説明】
【技術分野】
【０００１】
本発明は、移動局装置、基地局装置、通信方法、集積回路および無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局装置（以下、基地局、セル、サービングセル、送信局、送信装置、ｅＮｏｄｅＢとも呼称される）および端末（以下、移動局装置、移動端末、受信局、移動局、受信装置、ユーザー装置（ＵＥ；Ｕｓｅｒ  Ｅｑｕｉｐｍｅｎｔ）とも呼称される）それぞれが、１つまたは複数の送受信アンテナを備え、例えば、ＭＩＭＯ（Ｍｕｌｔｉ  Ｉｎｐｕｔ  Ｍｕｌｔｉ  Ｏｕｔｐｕｔ）技術を利用することによって、高速なデータ伝送を実現することができる。
【０００３】
このような無線通信システムにおいて、基地局は、端末に対して下りリンクデータ（下りリンク共用チャネル（ＤＬ−ＳＣＨ；Ｄｏｗｎｌｉｎｋ  Ｓｈａｒｅｄ  Ｃｈａｎｎｅｌ）に対するトランスポートブロック）を送信する場合、基地局と端末との間において既知の信号である復調用参照信号（ＤＭＲＳ；Ｄｅｍｏｄｕｌａｔｉｏｎ  Ｒｅｆｅｒｅｎｃｅ  Ｓｉｇｎａｌｓとも呼称される）を多重して送信する。ここで、復調用参照信号は、ユーザー装置スペシフィック参照信号（ＵＥ−ｓｐｅｃｉｆｉｃ  ＲＳ、端末固有（特有）のＲＳ）とも呼称される。以下、復調用参照信号を、単に、参照信号とも記載する。
【０００４】
例えば、参照信号は、プレコーディング処理が適用される前に、下りリンクデータと多重される。そのため、端末は、参照信号を用いることによって、適用されたプレコーディング処理および伝送路状態を含めた等化チャネルを測定することができる。すなわち、端末は、基地局によって適用されたプレコーディング処理を通知されなくても、下りリンクデータを復調することができる。
【０００５】
ここで、下りリンクデータは、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。すなわち、参照信号は、ＰＤＳＣＨの復調に使用される。また、例えば、参照信号は、対応するＰＤＳＣＨがマップされるリソースブロック（物理リソースブロック、リソースとも呼称される）でのみ送信される。
【０００６】
ここで、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）を用いた無線通信システムが検討されている。図７は、ヘテロジーニアスネットワーク配置を用いた無線通信システムの概要図である。図７に示すように、例えば、ヘテロジーニアスネットワークは、マクロ基地局７０１、ＲＲＨ７０２、ＲＲＨ７０３によって構成される。
【０００７】
図７において、マクロ基地局７０１はカバレッジ７０５を構築し、ＲＲＨ７０２およびＲＲＨ７０３はそれぞれカバレッジ７０６およびカバレッジ７０７を構築している。また、マクロ基地局７０１は、ＲＲＨ７０２と回線７０８を通じて接続しており、ＲＲＨ７０３と回線７０９を通じて接続している。これにより、マクロ基地局７０１は、ＲＲＨ７０２およびＲＲＨ７０３と、データ信号や制御信号（制御情報）を送受信することができる。ここで、例えば、回線７０８および回線７０９には、光ファイバ等の有線回線やリレー技術を用いた無線回線が利用される。この際、マクロ基地局７０１、ＲＲＨ７０２、ＲＲＨ７０３の一部または全てが、同一のリソースを用いることで、カバレッジ７０５のエリア内の総合的な周波数利用効率（伝送容量）を向上することができる。
【０００８】
また、端末７０４は、カバレッジ７０６の中に位置している場合、ＲＲＨ７０２とシングルセル通信を行うことができる。また、端末７０４がカバレッジ７０６の端付近（セルエッジ）に位置する場合、マクロ基地局７０１からの同一チャネルの干渉に対する対策が必要になる。ここで、マクロ基地局７０１とＲＲＨ７０２とのマルチセル通信（協調通信）として、隣接基地局間で互いに協調する基地局間協調通信を行うことによって、セルエッジ領域の端末７０４に対する干渉を軽減または抑圧する方法が検討されている。例えば、基地局間協調通信による干渉の軽減または抑圧に対する方式として、ＣｏＭＰ（Ｃｏｏｐｅｒａｔｉｖｅ  Ｍｕｌｔｉｐｏｉｎｔ）伝送方式などが検討されている（非特許文献１）。
【先行技術文献】
【非特許文献】
【０００９】
【非特許文献１】Ｏｒｔｈｏｇｏｎａｌｉｔｙ  ｏｆ  ＤＭ  ＲＳ  ｆｏｒＭＵ−ＣｏＭＰ；  ３ＧＰＰ  ＴＳＧ  ＲＡＮ  ＷＧ１  ｍｅｅｔｉｎｇ＃６８  Ｒ１−１２０４９７、Ｆｅｂｒｕａｒｙ  ６ｔｈ−１０ｔｈ、２０１２.
【発明の概要】
【発明が解決しようとする課題】
【００１０】
しかしながら、協調通信が考慮された無線通信システムにおいて、基地局と端末が参照信号を送受信する際の具体的な手順に関する記載はなかった。例えば、基地局と端末が参照信号に関するパラメータをどのように決定し、通信を行うかの記載がなかった。
【００１１】
本発明は、上記問題を鑑みてなされたものであり、その目的は、基地局と端末が参照信号に関するパラメータを決定し、効率的に通信することができる移動局装置、基地局装置、通信方法、集積回路および無線通信システムを提供する。
【課題を解決するための手段】
【００１２】
（１）上記の目的を達成するために、本発明は、以下のような手段を講じた。すなわち、本発明における移動局装置は、基地局装置と通信する移動局装置であって、物理下りリンク制御チャネルをコモンサーチスペースで検出した場合には、第１のパラメータを使用して生成された参照信号を前記基地局装置から受信し、前記物理下りリンク制御チャネルをユーザー装置スペシフィックサーチスペースで検出した場合には、第２のパラメータを使用して生成された前記参照信号を前記基地局装置から受信することを特徴としている。
【００１３】
（２）また、移動局装置と通信する基地局装置であって、物理下りリンク制御チャネルをコモンサーチスペースで配置する場合には、第１のパラメータを使用して生成された参照信号を前記移動局装置へ送信し、前記物理下りリンク制御チャネルをユーザー装置スペシフィックサーチスペースに配置する場合には、第２のパラメータを使用して生成された前記参照信号を前記移動局装置へ送信することを特徴としている。
【００１４】
（３）また、基地局装置と通信する移動局装置の通信方法であって、物理下りリンク制御チャネルをコモンサーチスペースで検出した場合には、第１のパラメータを使用して生成された参照信号を前記基地局装置から受信し、前記物理下りリンク制御チャネルをユーザー装置スペシフィックサーチスペースで検出した場合には、第２のパラメータを使用して生成された前記参照信号を前記基地局装置から受信することを特徴としている。
【００１５】
（４）また、移動局装置と通信する基地局装置の通信方法であって、物理下りリンク制御チャネルをコモンサーチスペースで配置する場合には、第１のパラメータを使用して生成された参照信号を前記移動局装置へ送信し、前記物理下りリンク制御チャネルをユーザー装置スペシフィックサーチスペースに配置する場合には、第２のパラメータを使用して生成された前記参照信号を前記移動局装置へ送信することを特徴としている。
【００１６】
（５）また、基地局装置と通信する移動局装置に搭載される集積回路であって、物理下りリンク制御チャネルをコモンサーチスペースで検出した場合には、第１のパラメータを使用して生成された参照信号を前記基地局装置から受信する機能と、前記物理下りリンク制御チャネルをユーザー装置スペシフィックサーチスペースで検出した場合には、第２のパラメータを使用して生成された前記参照信号を前記基地局装置から受信する機能と、を前記移動局装置へ発揮させることを特徴としている。
【００１７】
（６）また、移動局装置と通信する基地局装置に搭載される集積回路であって、物理下りリンク制御チャネルをコモンサーチスペースで配置する場合には、第１のパラメータを使用して生成された参照信号を前記基地局装置から受信する機能と、前記物理下りリンク制御チャネルをユーザー装置スペシフィックサーチスペースに配置する場合には、第２のパラメータを使用して生成された前記参照信号を前記基地局装置から受信する機能と、を前記基地局装置へ発揮させることを特徴としている。
【００１８】
（７）また、基地局装置と移動局装置が通信する無線通信システムであって、前記基地局装置は、第１のパラメータを使用して生成された参照信号または第２のパラメータを使用して生成された前記参照信号を前記移動局装置へ送信し、前記前記移動局装置は、前記物理下りリンク制御チャネルをコモンサーチスペースで検出した場合には、前記第１のパラメータを使用して生成された前記参照信号を前記基地局装置から受信し、前記物理下りリンク制御チャネルをユーザー装置スペシフィックサーチスペースで検出した場合には、前記第２のパラメータを使用して生成された前記参照信号を前記基地局装置から受信することを特徴としている。
【発明の効果】
【００１９】
本発明によれば、基地局と端末が参照信号に関するパラメータを決定し、効率的に通信することができる。
【図面の簡単な説明】
【００２０】
【図１】本発明の実施形態に係る無線通信システムにおけるマルチセル通信の例を示す概略図である。
【図２】本発明の実施形態に係る無線通信システムにおけるシングルセル通信の例を示す概略図である。
【図３】本発明の実施形態に係る基地局の構成を示す概略ブロック図である。
【図４】本発明の実施形態に係る端末の構成を示す概略ブロック図である。
【図５】基地局によって送信される信号の例を示す図である。
【図６】本発明の実施形態を説明する図である。
【図７】ヘテロジーニアスネットワーク配置における無線通信システムの概略図である。
【発明を実施するための形態】
【００２１】
以下、本発明の実施形態について説明する。本発明の実施形態における無線通信システムは、基地局（送信装置、セル、サービングセル、送信点、送信アンテナ群、送信アンテナポート群、コンポーネントキャリア、ｅＮｏｄｅＢとも呼称される）として、プライマリー基地局（マクロ基地局、第１の基地局、第１の通信装置、サービング基地局、アンカー基地局、第１のコンポーネントキャリア、プライマリセルとも呼称される）およびセカンダリー基地局（ＲＲＨ、ピコ基地局、フェムト基地局、Ｈｏｍｅ  ｅＮｏｄｅＢ、第２の基地局装置、協調基地局群、協調基地局セット、第２の通信装置、協調基地局、第２のコンポーネントキャリア、セカンダリセルとも呼称される）を備える。また、端末（移動局装置、端末装置、移動端末、受信点、受信端末、受信装置、第３の通信装置、受信アンテナ群、受信アンテナポート群、ユーザー装置（ＵＥ；Ｕｓｅｒ  Ｅｑｕｉｐｍｅｎｔ）とも呼称される）を備える。
【００２２】
ここで、セカンダリー基地局は、複数のセカンダリー基地局として示されても良い。例えば、プライマリー基地局とセカンダリー基地局は、ヘテロジーニアスネットワーク配置を用いており、セカンダリー基地局のカバレッジの一部または全ては、プライマリー基地局のカバレッジに含まれ、マルチセル通信やシングルセル通信が行われる。以下、一例として、プライマリー基地局およびセカンダリー基地局が、同一周波数のリソースを用いて通信を行う場合を記載するが、本実施形態は、同様の実施形態であれば、その全てに適用されることは勿論である。
【００２３】
図１は、本発明の実施形態に係る無線通信システムにおけるマルチセル通信の例を示す概略図である。図１において、端末１０４は、セカンダリー基地局１０２のセルエッジ領域（境界領域）に位置しており、プライマリー基地局１０１およびセカンダリー基地局１０２とのマルチセル通信が行われる。
【００２４】
ここで、マルチセル通信とは、複数の基地局が互いに協調して、端末に対する信号（データ信号や制御信号など）を送信することを示している。例えば、マルチセル通信には、ＣｏＭＰ伝送方式が含まれる。より具体的には、複数の基地局から同一の信号が送信されるジョイント送信（Ｊｏｉｎｔ  ｔｒａｎｓｍｉｓｓｉｏｎ、Ｊｏｉｎｔ  ｐｒｏｃｅｓｓｉｎｇ）が含まれる。また、信号を送信する基地局が動的に切り替わる動的基地局選択（Ｄｙｎａｍｉｃ  ｃｅｌｌ  ｓｅｌｅｃｔｉｏｎ）が含まれる。また、基地局間で協調してビームフォーミングを行うことで互いに干渉を低減させる協調ビームフォーミング（Ｃｏｏｒｄｉｎａｔｅｄ  Ｂｅａｍｆｏｒｍｉｎｇ）が含まれる。また、基地局間で協調してスケジューリングを行うことで互いに干渉を低減させる協調スケジューリング（Ｃｏｏｒｄｉｎａｔｅｄ  Ｓｃｈｅｄｕｌｉｎｇ）が含まれる。
【００２５】
図１には、マルチセル通信の一例として、ジョイント送信が示されている。図１において、端末１０４は、プライマリー基地局１０１と端末１０４との間の下りリンク１０５およびセカンダリー基地局１０２と端末１０４との間の下りリンク１０６を通じて、端末１０４宛の信号を受信する。また、端末１０４宛の信号には、参照信号が多重される。このとき、プライマリー基地局１０１によって送信される参照信号とセカンダリー基地局１０２によって送信される参照信号は同一であることが望ましい。
【００２６】
図２は、本発明の実施形態に係る無線通信システムにおけるシングルセル通信の例を示す概略図である。図２において、端末２０４は、プライマリー基地局１０１とシングルセル通信を行い、端末２０５は、セカンダリー基地局１０２とシングルセル通信が行われる。ここで、プライマリー基地局１０１は、端末２０４宛の信号に参照信号を多重して、下りリンク２０６を通じて送信する。また、セカンダリー基地局１０２は、端末２０５宛の信号に参照信号を多重して、下りリンク２０７を通じて送信する。
【００２７】
ここで、シングルセル通信とは、単一の基地局が、端末に対する信号（データ信号や制御信号など）を送信することを示している。例えば、シングルセル通信には、後方互換性を維持する通信システムにおいて規定される従来の送信モード（通信方法）などが含まれる。
【００２８】
図２において、端末２０４宛の信号と端末２０５宛の信号が、同一の周波数領域および時間領域のリソースを用いて送信された場合、互いに同一チャネルにおける干渉となる。すなわち、下りリンク２０６を通じて送信される信号は端末２０５に対して干渉を与えることになり、下りリンク２０７を通じて送信される信号は端末２０４に対して干渉を与える。ここで、端末２０４宛の信号と端末２０５宛の信号は、一般に異なっているため、互いに相関が低くなる。そのため、端末２０４および端末２０５は、それぞれ干渉となる信号を白色雑音として扱うことができる。
【００２９】
しかしながら、端末２０４宛の信号に多重される参照信号と端末２０５宛の信号に多重される参照信号が、同一の場合、互いに相関が高くなってしまう。これにより、端末２０４および端末２０５において、それぞれ信号を復調するために利用される伝送路状態の推定精度が大幅に劣化することになる。そのため、プライマリー基地局１０１によって送信される参照信号とセカンダリー基地局１０２によって送信される参照信号は異なることが望ましい。
【００３０】
ここで、図１および図２において、プライマリー基地局およびセカンダリー基地局に対して、異なるセルアイデンティティ（Ｃｅｌｌ  ＩＤとも呼称される）を設定することができる（Ｄｉｆｆｅｒｅｎｔ  ｃｅｌｌ  ＩＤとも呼称される）。また、ヘテロジーニアスネットワーク配置において、プライマリー基地局およびセカンダリー基地局の全てまたは一部に対して、同一のセルセルアイデンティティを設定することもできる（Ｓｈａｒｅｄ  ｃｅｌｌ  ＩＤ、Ｓａｍｅ  ｃｅｌｌ  ＩＤとも呼称される）。
【００３１】
図３は、本発明の実施形態に係る基地局の構成を示す概略ブロック図である。ここで、図３に示される基地局は、プライマリー基地局１０１やセカンダリー基地局１０２が含まれる。図３に示すように、基地局は、上位レイヤ（上位層）３０１、信号生成部３０２、参照信号多重部３０３、送信信号生成部３０４、送信部３０５を備えている。
【００３２】
上位レイヤ３０１は、各端末に対する情報データをデータリンク層等の上位レイヤから出力する。このとき、上位レイヤや物理層における各種制御情報（適応制御情報、スケジューリング情報、基地局情報、端末情報等なども含まれる）は基地局内で共有されている。さらに、各種制御情報は、プライマリー基地局１０１およびセカンダリー基地局１０２の間（複数のプライマリー基地局間や複数のセカンダリー基地局間なども含まれる）において、回線１０３を通じて互いに共有される。
【００３３】
信号生成部３０２は、入力された情報データに対して、スクランブル処理、符号化処理、変調処理、レイヤマッピング処理などを行い、信号（データ信号や制御信号など）を生成する。なお、信号生成部３０２は、コードワードと呼称される情報データの単位毎に、スクランブル処理、符号化処理、変調処理を行う。例えば、基地局は、各端末に対して、最大２つまでのコードワードを送信することができる。
【００３４】
参照信号多重部３０３は、生成された信号に対して参照信号を多重する。この際、参照信号は、信号のレイヤ数（ランク数、空間多重数とも呼称される）に応じて、符号分割多重（ＣＤＭ；Ｃｏｄｅ  Ｄｉｖｉｓｉｏｎ  Ｍｕｌｔｉｐｌｅｘｉｎｇ）および／または周波数分割多重（ＦＤＭ；Ｆｒｅｑｕｅｎｃｙ  Ｄｉｖｉｓｉｏｎ  Ｍｕｌｔｉｐｌｅｘｉｎｇ）される。ここで、例えば、参照信号をＣＤＭするための直交符号として、レイヤ数に応じて、２チップまたは４チップのＷａｌｓｈ系列が用いられる。
【００３５】
すなわち、例えば、対応するＰＤＳＣＨの送信に対して割り当てられたリソースブロックにおいて、参照信号系列は、Ｗａｌｓｈ系列が重畳されて、変調シンボルへマップされる。ここで、例えば、参照信号系列は、擬似ランダム系列に基づいて定義（生成）される。また、擬似ランダム系列は、Ｇｏｌｄ系列によって定義（生成）される。また、擬似ランダム系列を初期化するために初期値が与えられる。すなわち、参照信号多重部３０３には、擬似ランダム系列を初期化するための初期値が入力される。
【００３６】
送信信号生成部３０４は、信号および参照信号に対して、位相回転やビームフォーミングなどを行うためのプレコーディング処理などを行う。ここで、プレコーディング処理は、端末が効率よく受信できるように（例えば、受信電力が最大になるように、または隣接セルからの干渉が小さくなるように、または隣接セルへの干渉が小さくなるように）、信号に対して位相回転などを行うことが望ましい。例えば、送信信号生成部３０４は、予め決められたプレコーディング行列による処理や、ＣＤＤ（Ｃｙｃｌｉｃ  Ｄｅｌａｙ  Ｄｉｖｅｒｓｉｔｙ）などの送信ダイバーシチなどの処理を行う。
【００３７】
また、例えば、送信信号生成部３０４は、端末に対するスケジューリングに基づいて、下りリンクデータおよび参照信号を、ＰＤＳＣＨのリソースにマップする。また、送信信号生成部３０４は、端末に対するスケジューリングに基づいて、下りリンク制御信号（下りリンク制御情報）および参照信号を、物理下りリンク制御チャネル（ＰＤＣＣＨ；Ｐｈｙｓｉｃａｌ  Ｄｏｗｎｌｉｎｋ  Ｓｈａｒｅｄ  Ｃｈａｎｎｅｌ）のリソースにマップする。
【００３８】
送信部３０５は、ＩＦＦＴ（Ｉｎｖｅｒｓｅ  Ｆａｓｔ  Ｆｏｕｒｉｅｒ  Ｔｒａｎｓｆｏｒｍ）やガードインターバルの付加などを行った後に、少なくとも１つの送信アンテナ（送信アンテナポート）を使用して信号および参照信号を送信する。
【００３９】
図４は、本発明の実施形態に係る端末の構成を示す概略ブロック図である。ここで、図４に示される端末は、端末１０４、端末２０４、端末２０５が含まれる。図４に示すように、端末は、受信部４０１、受信信号処理部４０２、伝送路推定部４０３、データ信号処理部４０４、上位レイヤ４０５を備えている。
【００４０】
受信部４０１は、少なくとも１つの受信アンテナ（受信アンテナポート）を使用して、基地局によってマルチセル通信またはシングルセル通信を利用して送信された信号を受信する。
【００４１】
受信信号処理部４０２は、付加されたガードインターバルを除去し、高速フーリエ変換（ＦＦＴ；Ｆａｓｔ  Ｆｏｕｒｉｅｒ  Ｔｒａｎｓｆｏｒｍ）などにより時間周波数変換処理を行い、周波数領域の信号に変換する。また、受信信号処理部４０２は、基地局によってマップされた信号および参照信号を抽出する。また、受信信号処理部４０２は、自端末宛のＰＤＣＣＨをモニタ（デコードを試み、ブラインドデコードとも呼称される）し、自端末宛の下りリンク制御情報を検出する。
【００４２】
伝送路推定部４０３は、参照信号を用いて伝送路状態を推定する。ここで、例えば、推定された伝送路状態は、基地局によって送信された信号の復調に使用される。また、例えば、推定された伝送路状態は、基地局へ送信されるフィードバック情報の生成に使用される。また、伝送路推定部４０３には、基地局で用いられたスクランブル系列の初期値が入力される。すなわち、初期値に基づいて、スクランブル系列が生成され、参照信号に対してデスクランブル処理が行われる。また、参照信号は、信号のレイヤ数に応じて、２チップまたは４チップのＷａｌｓｈ系列を用いて逆拡散処理される。
【００４３】
ここで、例えば、伝送路推定処理は、それぞれのリソースエレメントにおける振幅と位相の変動（周波数応答、伝達関数）を推定することによって行われ、伝送路推定値を得ることができる。なお、参照信号がマッピングされていないリソースエレメントは、参照信号がマッピングされたリソースエレメントに基づいて、周波数方向および時間方向に補間し、伝送路推定を行う。
【００４４】
信号処理部４０４は、入力された信号および推定された伝送路推定値に基づいて、伝送路変動に対する補償処理（フィルタ処理）を行う。伝送路補償に対する補償処理が行われた信号は、識別された制御情報に基づいて、レイヤデマッピング処理、復調処理、デスクランブル処理、復号処理などを行い、上位レイヤ４０５に出力される。ここで、例えば、伝送路補償処理では、入力された信号に対して、推定された伝送路推定値を用いて、伝送路補償を行い、レイヤ毎の信号を検出（復元）する。また、レイヤデマッピング処理では、レイヤ毎の信号をそれぞれのコードワードにデマッピング処理を行い、以降、コードワード毎の処理が行われる。また、復調処理では、変調方式に基づいて復調を行う。また、デスクランブル処理では、スクランブル系列に基づいて、デスクランブル処理を行う。さらに、復号処理では、符号化方式（符号化率）に基づいて、誤り訂正復号処理を行う。
【００４５】
図５は、基地局によって送信される信号の例を示す図である。図５には、参照信号、下りリンクデータ、下りリンク制御情報がマップされる１つのリソースブロックペアが示されている。また、図５は、１つのサブフレーム内の２つのリソースブロックを表しており、例えば、１つのリソースブロックは周波数領域において１２のサブキャリアと時間領域において７のＯＦＤＭシンボルで構成される。
【００４６】
ここで、１サブフレームにおいて、時間領域における７つのＯＦＤＭシンボルそれぞれはスロットとも呼称される。また、１スロットにおいて、１つのＯＦＤＭシンボル、１つのサブキャリアによって定義されるリソースはリソースエレメントとも呼称される。また、１サブフレームにおいて、連続する２つのリソースブロックはリソースブロックペアと呼称される。
【００４７】
ここで、本実施形態における無線通信システムでは、下りリンクと上りリンクにおいて、複数のサービングセル（単に、セルとも呼称される）の集約がサポートされる（キャリアアグリゲーションと呼称される）。例えば、サービングセルそれぞれにおいて、１１０リソースブロックまでの送信帯域幅を使用することができる。また、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００４８】
さらに、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００４９】
さらに、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００５０】
すなわち、キャリアアグリゲーションにおいて、広送信帯域幅をサポートするために複数のコンポーネントキャリアが集約される。ここで、例えば、プライマリー基地局をプライマリセルと、セカンダリー基地局をセカンダリセルとみなす（基地局が、端末へ設定する）こともできる（ＨｅｔＮｅｔ  ｄｅｐｌｏｙｍｅｎｔ  ｗｉｔｈ  ａ  ｃａｒｒｉｅｒ  ａｇｇｒｅｇａｔｉｏｎとも呼称される）。
【００５１】
図５において、１番目から３番目までのＯＦＤＭシンボルはＰＤＣＣＨのリソース領域として示されている。また、１０サブキャリア目、１１サブキャリア目における４番目からのＯＦＤＭシンボルは、Ｅ−ＰＤＣＣＨ（Ｅｎｈａｎｃｅｄ−ＰＤＣＣＨ）のリソース領域として示されている。すなわち、例えば、Ｅ−ＰＤＣＣＨは、第１スロットと第２スロットにマップされる。また、ＰＤＳＣＨとＥ−ＰＤＣＣＨは、１リソースブロックペア内で多重されない。また、ＰＤＳＣＨとＥ−ＰＤＣＣＨは、ＦＤＭ（Ｆｒｅｑｕｅｎｃｙ  Ｄｉｖｉｓｉｏｎ  Ｍｕｌｔｉｐｌｅｘｉｎｇ）される。以下、Ｅ−ＰＤＣＣＨは、ＰＤＣＣＨに含まれる。
【００５２】
ここで、ＰＤＣＣＨは、下りリンク制御情報（ＤＣＩ；Ｄｏｗｎｌｉｎｋ  Ｃｏｎｔｏｌ  Ｉｎｆｏｒｍａｔｉｏｎ）を端末へ通知（指定）するために使用される。例えば、下りリンク制御情報には、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報、スクランブリングアイデンティティ（スクランブリンク識別子とも呼称される）に関する情報、参照信号系列アイデンティティ（ベースシーケンスアイデンティティ、ベースシーケンス識別子、ベースシーケンスインデックスとも呼称される）に関する情報などが含まれる。
【００５３】
また、ＰＤＣＣＨで送信される下りリンク制御情報に対して、複数のフォーマットが定義される。ここで、下りリンク制御情報のフォーマットを、ＤＣＩフォーマットとも呼称する。すなわち、ＤＣＩフォーマットに、上りリンク制御情報のそれぞれに対するフィールドが定義される。
【００５４】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａが定義される。すなわち、ＤＣＩフォーマット１およびＤＣＩフォーマット１Ａは、１つの送信アンテナポートを使用したＰＤＳＣＨでの送信に使用される。また、ＤＣＩフォーマット１およびＤＣＩフォーマット１Ａは、複数の送信アンテナポートを使用した送信ダイバーシチ（ＴｘＤ；Ｔｒａｎｓｍｉｓｓｉｏｎ  Ｄｉｖｅｒｓｉｔｙ）によるＰＤＳＣＨでの送信にも使用される。
【００５５】
また、下りリンクに対するＤＣＩフォーマットとしては、１つのセルにおける１つのＰＤＳＣＨ（２つまでのＰＤＳＣＨのコードワード、２つまでの下りリンクトランスポートの送信）のスケジューリングに使用されるＤＣＩフォーマット２およびＤＣＩフォーマット２ＡおよびＤＣＩフォーマット２ＢおよびＤＣＩフォーマット２Ｃが定義される。すなわち、ＤＣＩフォーマット２およびＤＣＩフォーマット２ＡおよびＤＣＩフォーマット２ＢおよびＤＣＩフォーマット２Ｃは、複数の送信アンテナポートを使用したＭＩＭＯ  ＳＤＭ（Ｍｕｌｔｉｐｌｅ  Ｉｎｐｕｔ  Ｍｕｌｔｉｐｌｅ  Ｏｕｔｐｕｔ  Ｓｐａｔｉａｌ  Ｄｏｍａｉｎ  Ｍｕｌｔｉｐｌｅｘｉｎｇ）ＰＤＳＣＨでの送信に使用される。
【００５６】
図５において、端末は、ＰＤＣＣＨ候補（ＰＤＣＣＨ  ｃａｎｄｉｄａｔｅｓ）のセットをモニタする。ここで、ＰＤＣＣＨ候補とは、基地局によって、ＰＤＣＣＨが配置および送信される可能性のある候補を示している。また、ＰＤＣＣＨ候補は、１つまたは複数の制御チャネル要素（ＣＣＥ；Ｃｏｎｔｒｏｌ  Ｃｈａｎｎｅｌ  Ｅｌｅｍｅｎｔ）から構成される。また、モニタとは、モニタされる全てのＤＣＩフォーマットに応じて、ＰＤＣＣＨ候補のセット内のＰＤＣＣＨそれぞれに対して、端末がデコードを試みるということを意味する。ここで、端末がモニタするＰＤＣＣＨ候補のセットは、サーチスペースとも呼称される。すなわち、サーチスペースとは、基地局によってＰＤＣＣＨの送信に用いられる可能性のあるリソースのセットである。
【００５７】
さらに、ＰＤＣＣＨのリソース領域には、コモンサーチスペース（ＣＳＳ；Ｃｏｍｍｏｎ  Ｓｅａｒｃｈ  Ｓｐａｃｅ、共通サーチスペース）とユーザー装置スペシフィックサーチスペース（ＵＳＳ；ＵＥ−Ｓｐｅｃｉｆｉｃ  Ｓｅａｃｈ  Ｓｐａｃｅ、端末固有（特定）のサーチスペース）が構成（定義、設定）される。
【００５８】
すなわち、図５において、ＰＤＣＣＨのリソース領域に、ＣＳＳおよび／またはＵＳＳが構成される。すなわち、図５において、Ｅ−ＰＤＣＣＨのリソース領域に、ＣＳＳおよび／またはＵＳＳが構成される。端末は、ＰＤＣＣＨのリソース領域のＣＳＳおよび／またはＵＳＳにおいてＰＤＣＣＨをモニタし、自装置宛てのＰＤＣＣＨを検出する。また、端末は、Ｅ−ＰＤＣＣＨのリソース領域のＣＳＳおよび／またはＵＳＳにおいてＥ−ＰＤＣＣＨをモニタし、自装置宛てのＰＤＣＣＨを検出する。  
【００５９】
ここで、ＣＳＳは、複数の端末に対する下りリンク制御情報の送信に用いられる。すなわち、ＣＳＳは、複数の端末に対して共通のリソースによって定義される。例えば、ＣＳＳは、基地局と端末との間において予め定められた番号のＣＣＥから構成される。例えば、ＣＳＳは、インデックスが０から１５までのＣＣＥから構成される。ここで、ＣＳＳは、特定の端末に対する下りリンク制御情報の送信に用いられても良い。すなわち、基地局は、ＣＳＳにおいて、複数の端末を対象とするＤＣＩフォーマットおよび／または特定の端末を対象とするＤＣＩフォーマットを送信する。
【００６０】
また、ＵＳＳは、特定の端末に対する下りリンク制御情報の送信に用いられる。すなわち、ＵＳＳは、ある端末に対して専用のリソースによって定義される。すなわち、ＵＳＳは、端末のそれぞれに対して独立に定義される。例えば、ＵＳＳは、基地局によって割り当てられた無線ネットワーク一時識別子（ＲＮＴＩ；Ｒａｄｉｏ  Ｎｅｔｗｏｒｋ  Ｔｅｍｐｏｒａｒｙ  Ｉｎｄｅｎｔｉｆｅｒ）や、無線フレームにおけるスロット番号や、アグリゲーションレベルなどに基づいて決定された番号のＣＣＥから構成される。ここで、ＲＮＴＩには、Ｃ−ＲＮＴＩ（Ｃｅｌｌ  ＲＮＴＩ）やＳＰＳ  Ｃ−ＲＮＴＩ（Ｓｅｍｉ  Ｐｅｒｓｉｓｔｅｎｔ  Ｃ−ＲＮＴＩ）が含まれる。すなわち、基地局は、ＵＳＳにおいて、特定の端末を対象とするＤＣＩフォーマットを送信する。
【００６１】
例えば、キャリアアグリゲーションにおいて、サービングセルのそれぞれに対応するＣＳＳおよび／またはＵＳＳが構成される。例えば、プライマリセルに対応するＣＳＳは、プライマリセルに構成される。また、セカンダリセルに対応するＣＳＳは、いずれか１つのサービングセルに構成される。また、プライマリセルに対応するＵＳＳは、プライマリセルに構成される。また、セカンダリセルに対応するＵＳＳは、いずれか１つのサービングセルに構成される。ここで、基地局は、セカンダリセルに対応するＣＳＳおよび／またはＵＳＳが、いずれのサービングセルに構成されるかを設定することができる。
【００６２】
ここで、下りリンク制御情報の送信（ＰＤＣＣＨでの送信）には、基地局が端末に割り当てたＲＮＴＩが利用される。具体的には、下りリンク制御情報（ＤＣＩフォーマットでも良い）に基づいて生成されたＣＲＣ（Ｃｙｃｌｉｃ  Ｒｅｄｕｎｄａｎｃｙ  Ｃｈｅｃｋ；巡回冗長検査、以下、単にＣＲＣとも記載する）パリティビットが下りリンク制御情報に付加され、付加された後に、ＣＲＣパリティビットがＲＮＴＩでスクランブルされる。
【００６３】
端末は、ＲＮＴＩでスクランブルされたＣＲＣパリティビットを伴う下りリンク制御情報に対してデコードを試み、ＣＲＣが成功したＰＤＣＣＨを、自装置宛のＰＤＣＣＨとして検出する（ブラインドデコーディングとも呼称される）。ここで、ＲＮＴＩには、Ｃ−ＲＮＴＩやＳＰＳ  Ｃ−ＲＮＴＩが含まれる。すなわち、端末は、Ｃ−ＲＮＴＩによってスクランブルされたＣＲＣを伴うＰＤＣＣＨをデコードする。また、端末は、ＳＰＳ  Ｃ−ＲＮＴＩによってスクランブルされたＣＲＣを伴うＰＤＣＣＨをデコードする。
【００６４】
ここで、Ｃ−ＲＮＴＩとは、ＲＲＣ（Ｒａｄｉｏ  Ｒｅｓｏｕｒｃｅ  Ｃｏｎｔｒｏｌ、無線リソース制御）接続およびスケジューリングの識別に対して使用されるユニークな（一意的な）識別子である。例えば、Ｃ−ＲＮＴＩは、動的にスケジュールされるユニキャスト送信のために利用される。また、ＳＰＳ  Ｃ−ＲＮＴＩとは、セミパーシステントスケジューリング（ＳＰＳ；Ｓｅｍｉ−ｐｅｒｓｉｓｔｅｎｔ  ｓｃｈｅｄｕｌｉｎｇ）に対して使用されるユニークな（一意的な）識別子である。例えば、ＳＰＳ  Ｃ−ＲＮＴＩは、半持続的（Ｓｅｍｉ−ｐｅｒｓｉｓｔｅｎｔｌｙ）にスケジュールされるユニキャスト送信のために利用される。すなわち、端末は、ＣＲＣが、いずれのＲＮＴＩでスクランブルされているかに基づいて、下りリンク制御情報の解釈を変更する。
【００６５】
端末は、ＰＤＣＣＨで送信された下りリンク制御情報によってＰＤＳＣＨのリソースがスケジュールされた場合、スケジュールされたＰＤＳＣＨで下りリンクデータを受信する。ここで、下りリンク制御情報によってスケジュールされたＰＤＳＣＨには、復調のために使用される参照信号がマップされる。
【００６６】
また、基地局と端末は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局によって、ある端末に対して送信される専用の信号は、ｄｅｄｉｃａｔｅｄ  ｓｉｇｎａｌ（専用の信号）とも呼称される。すなわち、基地局によって、ｄｅｄｉｃａｔｅｄ  ｓｉｇｎａｌを使用して通知される設定（情報）は、ある端末に対して固有な（特有な）設定である。
【００６７】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（Ｈｉｇｈｅｒ  ｌａｙｅｒ  ｓｉｇｎａｌｉｎｇ）とも呼称される。
【００６８】
ここで、参照信号系列は、擬似ランダム系列に基づいて定義（生成）される。例えば、参照信号系列ｒ（ｍ）は、以下の式によって定義される。
【数１】
2013187591.tif 000003
ここで、ＮＲＢｍａｘ,ＤＬは、最大の下りリンク帯域幅（リソースブロック数でも良い）を示し、例えば、１１０とすることができる。
【００６９】
以下、擬似ランダム系列の初期化について記載する。例えば、擬似ランダム系列ｃ（ｎ）は、以下の式で定義される。
【数２】
2013187591.tif 000004
ここで、Ｎｃは定数であり、例えば、１６００とすることができる。
【００７０】
ここで、擬似ランダム系列を初期化するための初期値が与えられる。例えば、１番目のＭ系列x1（ｎ）は、以下の式で初期化される。
【数３】
2013187591.tif 000005
【００７１】
また、２番目のＭ系列x2（ｎ）は、以下の式で初期化される。
【数４】
2013187591.tif 000006
ここで、ｃinitは、以下の式で定義される。  
【数５】
2013187591.tif 000007
【００７２】
ここで、ｎｓは、無線フレーム内のスロット番号を示している。また、ＮＩＤｃｅｌｌは、物理レイヤセルアイデンティティ（Ｐｈｙｓｉｃａｌ  ｌａｙｅｒ  ｃｅｌｌ  ｉｄｅｎｔｉｔｙ、物理レイヤセル識別子とも呼称される）を示している。すなわち、ＮＩＤｃｅｌｌは、基地局（セル）固有（基地局（セル）特有）のアイデンティティを示している。すなわち、ＮＩＤｃｅｌｌは、セルの物理レイヤアイデンティティを示している。また、ｎＳＣＩＤは、スクランブリングアイデンティティ（スクランブリング識別子とも呼称される）を示している。
【００７３】
例えば、端末は、ＮＩＤｃｅｌｌを、同期信号（Ｓｙｎｃｈｒｏｎｉｚａｔｉｏｎ  ｓｉｇｎａｌｓ）を用いて検出することができる。また、端末は、基地局から送信される上位層の信号（例えば、バンドオーバーコマンド）に含まれる情報から、ＮＩＤｃｅｌｌを取得することができる。また、基地局は、ｎＳＣＩＤを、ＰＤＣＣＨで送信されるスクランブリングアイデンティティに関する情報（すなわち、下りリンク制御情報）を使用して端末に指示することができる。
【００７４】
すなわち、ＮＩＤｃｅｌｌは、参照信号系列の生成に関するパラメータ（参照信号系列に関するパラメータ）である。また、ＮＩＤｃｅｌｌは、擬似ランダム系列の初期化に関するパラメータである。また、ｎＳＣＩＤは、参照信号系列の生成に関するパラメータ（参照信号系列に関するパラメータ）である。また、ｎＳＣＩＤは、擬似ランダム系列の初期化に関するパラメータである。
【００７５】
また、パラメータ“Ｘ”（パラメータ“Ｘ”の値）は、仮想セルアイデンティティ（Ｖｉｒｔｕａｌ  ｃｅｌｌ  ｉｄｅｎｔｉｔｙ、仮想セル識別子とも呼称される）を示している。すなわち、パラメータ“Ｘ”は、端末固有（端末特有）のアイデンティティを示している。また、パラメータ“Ｙ”（パラメータ“Ｙ”の値）は、スクランブリングアイデンティティ（スクランブリング識別子とも呼称される）を示している。
【００７６】
例えば、基地局は、上位層の信号を使用してパラメータ“Ｘ”を端末に設定することができる。また、基地局は、複数のパラメータ“Ｘ”を上位層の信号を使用して設定し、設定した複数のパラメータ“Ｘ”の中から１つのパラメータ“Ｘ”を、ＰＤＣＣＨで送信される参照信号系列アイデンティティに関する情報（すなわち、下りリンク制御情報）を使用して指示しても良い。
【００７７】
また、基地局は、上位層の信号を使用してパラメータ“Ｙ”を端末に設定することができる。また、基地局は、複数のパラメータ“Ｙ”を上位層の信号を使用して設定し、設定した複数のパラメータ“Ｙ”の中から１つのパラメータ“Ｙ”を、ＰＤＣＣＨで送信されるスクランブリングアイデンティティに関する情報（すなわち、下りリンク制御情報）を使用して指示しても良い。
【００７８】
さらに、基地局は、複数のセットのパラメータ“Ｘ”とパラメータ“Ｙ”を上位層の信号を使用して設定し、設定した複数のセットの中から１つのセットをＰＤＣＣＨで送信される下りリンク制御情報を使用して指示しても良い。ここで、パラメータ“Ｘ”とパラメータ“Ｙ”は、それぞれ独立して設定される。また、例えば、パラメータ“Ｘ”および／またはパラメータ“Ｙ”は、ｎＳＣＩＤに関連付けて設定されても良い。また、例えば、パラメータ“Ｙ”として、ｎＳＣＩＤを使用しても良い。
【００７９】
すなわち、パラメータ“Ｘ”は、参照信号系列の生成に関するパラメータ（参照信号系列に関するパラメータ）である。また、パラメータ“Ｘ”は、擬似ランダム系列の初期化に関するパラメータである。また、パラメータ“Ｙ”は、参照信号系列の生成に関するパラメータ（参照信号系列に関するパラメータ）である。また、パラメータ“Ｙ”は、擬似ランダム系列の初期化に関するパラメータである。
【００８０】
以下、ＮＩＤｃｅｌｌおよび／またはｎＳＣＩＤを、第１のパラメータとも記載する。また、パラメータ“Ｘ”および／またはパラメータ“Ｙ”を、第２のパラメータとも記載する。
【００８１】
ここで、図６に示すように、基地局は、条件を識別し、条件に基づいて、参照信号（参照信号系列でも良い）の生成に関するパラメータを切り換える。すなわち、基地局は、条件がＡの場合には、数５における（１）を使用して、参照信号を生成する。すなわち、基地局は、条件がＡの場合には、第１のパラメータを使用して、参照信号を生成する。すなわち、基地局は、条件がＡの場合には、第１のパラメータを使用して生成された参照信号（参照信号系列の一部でも良い）を、ＰＤＳＣＨ送信のために割り当てられたリソースブロック内のリソースエレメントにマップする。すなわち、基地局は、条件がＡの場合には、第１のパラメータを使用して生成された参照信号によって、端末がＰＤＳＣＨを復調すると想定する。
【００８２】
同様に、端末は、条件を識別し、条件に基づいて、参照信号の生成（参照信号系列でも良い）に関するパラメータを切り換える。すなわち、端末は、条件がＡの場合には、数５における（１）を使用して、参照信号が生成されると想定する。すなわち、端末は、条件がＡの場合には、第１のパラメータを使用して、参照信号が生成されると想定する。すなわち、端末は、条件がＡの場合には、第１のパラメータを使用して生成された参照信号（参照信号系列の一部でも良い）が、ＰＤＳＣＨ送信のために割り当てられたリソースブロック内のリソースエレメントにマップされていると想定する。すなわち、端末は、条件がＡの場合には、第１のパラメータを使用して生成された参照信号によって、ＰＤＳＣＨを復調する。
【００８３】
また、基地局は、条件がＢの場合には、数５における（２）を使用して、参照信号を生成する。すなわち、基地局は、条件がＢの場合には、第２のパラメータを使用して、参照信号を生成する。すなわち、基地局は、条件がＢの場合には、第２のパラメータを使用して生成された参照信号（参照信号系列の一部でも良い）を、ＰＤＳＣＨ送信のために割り当てられたリソースブロック内のリソースエレメントにマップする。すなわち、基地局は、条件がＢの場合には、第２のパラメータを使用して生成された参照信号によって、端末がＰＤＳＣＨを復調すると想定する。
【００８４】
また、端末は、条件がＢの場合には、数５における（２）を使用して、参照信号が生成されると想定する。すなわち、端末は、条件がＢの場合には、第２のパラメータを使用して、参照信号が生成されると想定する。すなわち、端末は、条件がＢの場合には、第２のパラメータを使用して生成された参照信号（参照信号系列の一部でも良い）が、ＰＤＳＣＨ送信のために割り当てられたリソースブロック内のリソースエレメントにマップされていると想定する。すなわち、端末は、条件がＢの場合には、第１のパラメータを使用して生成された参照信号によって、ＰＤＳＣＨを復調する。
【００８５】
ここで、条件Ａには、ＣＳＳにおいてＰＤＣＣＨを検出（デコード）したこと、が含まれる。すなわち、基地局は、ＣＳＳにおいてＰＤＣＣＨを配置する場合には、第１のパラメータを使用して参照信号を生成する。また、端末は、ＣＳＳにおいてＰＤＣＣＨを検出した場合には、第１のパラメータを使用して生成された参照信号によって、ＰＤＳＣＨを復調する。
【００８６】
すなわち、端末は、ＣＳＳにおいてＰＤＣＣＨを検出した場合には、ＮＩＤｃｅｌｌを使用して生成された参照信号によって、ＰＤＳＣＨを復調する。また、端末は、ＣＳＳにおいてＰＤＣＣＨを検出した場合には、ｎＳＣＩＤを使用して生成された参照信号によって、ＰＤＳＣＨを復調する。ここで、例えば、ｎＳＣＩＤは、ＣＳＳにおいて検出されたＰＤＣＣＨで送信されたスクランブリングアイデンティティに関する情報を使用して、基地局によって指示される。
【００８７】
また、条件Ｂには、ＵＳＳにおいてＰＤＣＣＨを検出（デコード）したこと、が含まれる。すなわち、基地局は、ＵＳＳにおいてＰＤＣＣＨを配置する場合には、第２のパラメータを使用して参照信号を生成する。また、端末は、ＵＳＳにおいてＰＤＣＣＨを検出した場合には、第２のパラメータを使用して生成された参照信号によって、ＰＤＳＣＨを復調する。
【００８８】
すなわち、端末は、ＵＳＳにおいてＰＤＣＣＨを検出した場合には、パラメータ“Ｘ”を使用して生成された参照信号によって、ＰＤＳＣＨを復調する。また、端末は、ＵＳＳにおいてＰＤＣＣＨを検出した場合には、パラメータ“Ｙ”を使用して生成された参照信号によって、ＰＤＳＣＨを復調する。ここで、パラメータ“Ｘ”および／またはパラメータ“Ｙ”の設定方法は、上述した通りである。ここで、例えば、参照信号系列アイデンティティに関する情報および／またはスクランブリングアイデンティティに関する情報は、ＵＳＳにおけるＰＤＣＣＨで送信される。
【００８９】
すなわち、端末は、ＰＤＣＣＨをＣＳＳで検出した場合には、第１のパラメータを使用して生成された参照信号を基地局から受信し、ＰＤＣＣＨをＵＳＳで検出した場合には、第２のパラメータを使用して生成された参照信号を基地局から受信する。すなわち、端末は、ＰＤＣＣＨをＣＳＳで検出した場合には、第１のパラメータを使用して生成されたとして参照信号を基地局から受信し、ＰＤＣＣＨをＵＳＳで検出した場合には、第２のパラメータを使用して生成されたとして参照信号を基地局から受信する。
【００９０】
すなわち、端末は、ＰＤＣＣＨを検出したサーチスペースに基づいて、異なる方法を使用して生成された参照信号を使用して、ＰＤＳＣＨを復調する。すなわち、端末は、ＰＤＣＣＨを、ＣＳＳにおいて検出するか、ＵＳＳにおいて検出するか、に基づいて、異なる方法で参照信号が生成されることを認識する。
【００９１】
また、条件Ａには、Ｃ−ＲＮＴＩによってスクランブルされたＣＲＣを伴うＰＤＣＣＨを検出（デコード）したこと、が含まれる。すなわち、基地局は、Ｃ−ＲＮＴＩによってスクランブルされたＣＲＣを伴うＰＤＣＣＨを配置する場合には、第１のパラメータを使用して参照信号を生成する。また、端末は、Ｃ−ＲＮＴＩによってスクランブルされたＣＲＣを伴うＰＤＣＣＨを検出した場合には、第１のパラメータを使用して生成された参照信号によって、ＰＤＳＣＨを復調する。
【００９２】
すなわち、端末は、Ｃ−ＲＮＴＩによってスクランブルされたＣＲＣを伴うＰＤＣＣＨを検出した場合には、ＮＩＤｃｅｌｌを使用して生成された参照信号によって、ＰＤＳＣＨを復調する。また、端末は、Ｃ−ＲＮＴＩによってスクランブルされたＣＲＣを伴うＰＤＣＣＨを検出した場合には、ｎＳＣＩＤを使用して生成された参照信号によって、ＰＤＳＣＨを復調する。ここで、例えば、ｎＳＣＩＤは、Ｃ−ＲＮＴＩによってスクランブルされたＣＲＣを伴うＰＤＣＣＨで送信されたスクランブリングアイデンティティに関する情報を使用して、基地局によって指示される。
【００９３】
また、条件Ｂには、ＳＰＳ  Ｃ−ＲＮＴＩによってスクランブルされたＣＲＣを伴うＰＤＣＣＨを検出（デコード）したこと、が含まれる。すなわち、基地局は、ＳＰＳ  Ｃ−ＲＮＴＩによってスクランブルされたＣＲＣを伴うＰＤＣＣＨを配置する場合には、第２のパラメータを使用して参照信号を生成する。また、端末は、ＳＰＳ  Ｃ−ＲＮＴＩによってスクランブルされたＣＲＣを伴うＰＤＣＣＨを検出した場合には、第２のパラメータを使用して生成された参照信号によって、ＰＤＳＣＨを復調する。
【００９４】
すなわち、端末は、ＳＰＳ  Ｃ−ＲＮＴＩによってスクランブルされたＣＲＣを伴うＰＤＣＣＨを検出した場合には、パラメータ“Ｘ”を使用して生成された参照信号によって、ＰＤＳＣＨを復調する。また、端末は、ＳＰＳ  Ｃ−ＲＮＴＩによってスクランブルされたＣＲＣを伴うＰＤＣＣＨを検出した場合には、パラメータ“Ｙ”を使用して生成された参照信号によって、ＰＤＳＣＨを復調する。ここで、パラメータ“Ｘ”および／またはパラメータ“Ｙ”の設定方法は、上述した通りである。ここで、例えば、参照信号系列アイデンティティに関する情報および／またはスクランブリングアイデンティティに関する情報は、ＳＰＳ  Ｃ−ＲＮＴＩによってスクランブルされたＣＲＣを伴うＰＤＣＣＨで送信される。
【００９５】
すなわち、端末は、Ｃ−ＲＮＴＩによってスクランブルされたＣＲＣを伴うＰＤＣＣＨを検出した場合には、第１のパラメータを使用して生成された参照信号を基地局から受信し、ＳＰＳ  Ｃ−ＲＮＴＩによってスクランブルされたＣＲＣを伴うＰＤＣＣＨを検出した場合には、第２のパラメータを使用して生成された参照信号を基地局から受信する。すなわち、端末は、ＳＰＳ  Ｃ−ＲＮＴＩによってスクランブルされたＣＲＣを伴うＰＤＣＣＨを検出した場合には、第１のパラメータを使用して生成されたとして参照信号を基地局から受信し、ＳＰＳ  Ｃ−ＲＮＴＩによってスクランブルされたＣＲＣを伴うＰＤＣＣＨを検出した場合には、第２のパラメータを使用して生成されたとして参照信号を基地局から受信する。
【００９６】
すなわち、端末は、ＣＲＣがスクランブルされたＲＮＴＩに基づいて、異なる方法を使用して生成された参照信号を使用して、ＰＤＳＣＨを復調する。すなわち、端末は、ＣＲＣが、Ｃ−ＲＮＴＩによってスクランブルされているか、ＳＰＳ  Ｃ−ＲＮＴＩによってスクランブルされているか、に基づいて、異なる方法で参照信号が生成されることを認識する。
【００９７】
また、条件Ａは、ＣＳＳにおいてＣ−ＲＮＴＩによってスクランブルされたＣＲＣを伴うＰＤＣＣＨを検出（デコード）したこと、であっても良い。すなわち、基地局は、ＣＳＳにおいてＣ−ＲＮＴＩによってスクランブルされたＣＲＣを伴うＰＤＣＣＨを配置する場合には、第１のパラメータを使用して参照信号を生成する。また、端末は、ＣＳＳにおいてＣ−ＲＮＴＩによってスクランブルされたＣＲＣを伴うＰＤＣＣＨを検出した場合には、第１のパラメータを使用して生成された参照信号によって、ＰＤＳＣＨを復調する。
【００９８】
すなわち、端末は、ＣＳＳにおいてＣ−ＲＮＴＩによってスクランブルされたＣＲＣを伴うＰＤＣＣＨを検出した場合には、ＮＩＤｃｅｌｌを使用して生成された参照信号によって、ＰＤＳＣＨを復調する。また、端末は、ＣＳＳにおいてＣ−ＲＮＴＩによってスクランブルされたＣＲＣを伴うＰＤＣＣＨを検出した場合には、ｎＳＣＩＤを使用して生成された参照信号によって、ＰＤＳＣＨを復調する。ここで、例えば、ｎＳＣＩＤは、ＣＳＳにおいてＣ−ＲＮＴＩによってスクランブルされたＣＲＣを伴うＰＤＣＣＨで送信されたスクランブリングアイデンティティに関する情報を使用して、基地局によって指示される。
【００９９】
また、条件Ｂは、ＵＳＳにおいてＣ−ＲＮＴＩによってスクランブルされたＣＲＣを伴うＰＤＣＣＨを検出（デコード）したこと、または何れかのサーチスペース（ＣＳＳまたはＵＳＳ）においてＳＰＳ  Ｃ−ＲＮＴＩを検出（デコード）したこと、であっても良い。以下、説明を容易にするために、これらの条件を、条件Ｃと記載する。すなわち、基地局は、条件Ｃの場合には、第２のパラメータを使用して参照信号を生成する。また、端末は、条件Ｃの場合には、第２のパラメータを使用して生成された参照信号によって、ＰＤＳＣＨを復調する。
【０１００】
すなわち、端末は、条件Ｃの場合には、パラメータ“Ｘ”を使用して生成された参照信号によって、ＰＤＳＣＨを復調する。また、端末は、条件Ｃの場合には、パラメータ“Ｙ”を使用して生成された参照信号によって、ＰＤＳＣＨを復調する。ここで、パラメータ“Ｘ”および／またはパラメータ“Ｙ”の設定方法は、上述した通りである。ここで、例えば、参照信号系列アイデンティティに関する情報および／またはスクランブリングアイデンティティに関する情報は、条件ＣにおけるＰＤＣＣＨで送信される。
【０１０１】
すなわち、端末は、ＣＳＳにおいてＣ−ＲＮＴＩによってスクランブルされたＣＲＣを伴うＰＤＣＣＨを検出した場合には、第１のパラメータを使用して生成された参照信号を基地局から受信する。また、端末は、ＵＳＳにおいてＣ−ＲＮＴＩによってスクランブルされたＣＲＣを伴うＰＤＣＣＨを検出、または何れかのサーチスペース（ＣＳＳまたはＵＳＳ）においてＳＰＳ  Ｃ−ＲＮＴＩを検出した場合には、第２のパラメータを使用して生成された参照信号を基地局から受信する。すなわち、端末は、ＣＳＳにおいてＣ−ＲＮＴＩによってスクランブルされたＣＲＣを伴うＰＤＣＣＨを検出した場合には、第１のパラメータを使用して生成されたとして参照信号を基地局から受信する。また、端末は、ＵＳＳにおいてＣ−ＲＮＴＩによってスクランブルされたＣＲＣを伴うＰＤＣＣＨを検出、または何れかのサーチスペース（ＣＳＳまたはＵＳＳ）においてＳＰＳ  Ｃ−ＲＮＴＩを検出した場合には、第２のパラメータを使用して生成されたとして参照信号を基地局から受信する。  
【０１０２】
すなわち、端末は、ＰＤＣＣＨを検出したサーチスペースと、ＣＲＣにスクランブルされたＲＮＴＩに基づいて、異なる方法を使用して生成された参照信号を使用して、ＰＤＳＣＨを復調する。すなわち、端末は、ＰＤＣＣＨを検出したサーチスペースと、ＣＲＣにスクランブルされたＲＮＴＩに基づいて、異なる方法で参照信号が生成されることを認識する。
【０１０３】
また、条件Ａには、所定のＤＣＩフォーマット（以下、第１のＤＣＩフォーマットと記載する）を受信（検出、デコード）したこと、が含まれる。ここで、第１のＤＣＩフォーマットは、仕様などによって予め定義される。すなわち、第１のＤＣＩフォーマットは、仕様などによって予め定義することによって、基地局と端末との間で既知の情報としておくことができる。すなわち、基地局は、第１のＤＣＩフォーマットを送信する場合には、第１のパラメータを使用して参照信号を生成する。また、端末は、第１のＤＣＩフォーマットを受信した場合には、第１のパラメータを使用して生成された参照信号によって、ＰＤＳＣＨを復調する。
【０１０４】
すなわち、端末は、第１のＤＣＩフォーマットを受信した場合には、ＮＩＤｃｅｌｌを使用して生成された参照信号によって、ＰＤＳＣＨを復調する。また、端末は、第１のＤＣＩフォーマットを受信した場合には、ｎＳＣＩＤを使用して生成された参照信号によって、ＰＤＳＣＨを復調する。ここで、例えば、ｎＳＣＩＤは、第１のＤＣＩフォーマットに含まれるスクランブリングアイデンティティに関する情報を使用して、基地局によって指示される。
【０１０５】
また、条件Ｂには、所定のＤＣＩフォーマット以外のＤＣＩフォーマット（以下、第２のＤＣＩフォーマット）を受信（検出）したこと、が含まれる。すなわち、基地局は、第２のＤＣＩフォーマットを送信する場合には、第２のパラメータを使用して参照信号を生成する。また、端末は、第２のＤＣＩフォーマットを受信した場合には、第２のパラメータを使用して生成された参照信号によって、ＰＤＳＣＨを復調する。
【０１０６】
すなわち、端末は、第２のＤＣＩフォーマットを受信した場合には、パラメータ“Ｘ”を使用して生成された参照信号によって、ＰＤＳＣＨを復調する。また、端末は、第２のＤＣＩフォーマットを受信した場合には、パラメータ“Ｙ”を使用して生成された参照信号によって、ＰＤＳＣＨを復調する。ここで、パラメータ“Ｘ”および／またはパラメータ“Ｙ”の設定方法は、上述した通りである。ここで、例えば、参照信号系列アイデンティティに関する情報および／またはスクランブリングアイデンティティに関する情報は、第２のＤＣＩフォーマットに含まれて送信される。
【０１０７】
すなわち、端末は、第１のＤＣＩフォーマットを検出した場合には、第１のパラメータを使用して生成された参照信号を基地局から受信し、第２のＤＣＩフォーマットを検出した場合には、第２のパラメータを使用して生成された参照信号を基地局から受信する。すなわち、端末は、第１のＤＣＩフォーマットを検出した場合には、第１のパラメータを使用して生成されたとして参照信号を基地局から受信し、第１のＤＣＩフォーマットを検出した場合には、第２のパラメータを使用して生成されたとして参照信号を基地局から受信する。
【０１０８】
すなわち、端末は、受信したＤＣＩフォーマットに基づいて、異なる方法を使用して生成された参照信号を使用して、ＰＤＳＣＨを復調する。すなわち、端末は、受信したＤＣＩフォーマットが、所定のＤＣＩフォーマットは、所定のＤＣＩフォーマット以外のＤＣＩフォーマットか、に基づいて、異なる方法で参照信号が生成されることを認識する。
【０１０９】
すなわち、端末は、ＤＣＩフォーマット、ＰＤＣＣＨを検出したサーチスペース、およびＣＲＣにスクランブルされたＲＮＴＩに基づいて、異なる方法を使用して生成された参照信号を使用して、ＰＤＳＣＨを復調してもよい。すなわち、端末は、ＤＣＩフォーマット、ＰＤＣＣＨを検出したサーチスペース、およびＣＲＣにスクランブルされたＲＮＴＩに基づいて、異なる方法で参照信号が生成されることを認識してもよい。
【０１１０】
ここで、基地局は、条件がＡの場合には、数５における（２）のパラメータとしてデフォルト値を使用して、参照信号を生成しても良い。すなわち、基地局は、条件がＡの場合には、パラメータ“Ｘ”のデフォルト値を使用して、参照信号を生成する。また、基地局は、条件がＡの場合には、パラメータ“Ｙ”のデフォルト値を使用して、参照信号を生成する。すなわち、基地局は、条件がＡの場合には、デフォルト値を使用して生成された参照信号（参照信号系列の一部でも良い）を、ＰＤＳＣＨ送信のために割り当てられたリソースブロック内のリソースエレメントにマップする。すなわち、基地局は、条件がＡの場合には、デフォルト値を使用して生成された参照信号によって、端末がＰＤＳＣＨを復調すると想定する。
【０１１１】
また、端末は、条件がＡの場合には、数５における（２）のパラメータとしてデフォルト値を使用して参照信号が生成されると想定しても良い。すなわち、端末は、条件がＡの場合には、パラメータ“Ｘ”のデフォルト値を使用して、参照信号が生成されると想定する。また、端末は、条件がＡの場合には、パラメータ“Ｙ”のデフォルト値を使用して、参照信号が生成されると想定する。すなわち、端末は、条件がＡの場合には、デフォルト値を使用して生成された参照信号（参照信号系列の一部でも良い）が、ＰＤＳＣＨ送信のために割り当てられたリソースブロック内のリソースエレメントにマップされていると想定する。すなわち、端末は、条件がＡの場合には、デフォルト値を使用して生成された参照信号によって、ＰＤＳＣＨを復調する。
【０１１２】
ここで、デフォルト値は、予め仕様などによって定義される。すなわち、デフォルト値は、予め仕様などによって定義され、基地局と端末との間で既知の情報としておくことができる。例えば、パラメータ“Ｘ”のデフォルト値は、ＮＩＤｃｅｌｌであっても良い。また、パラメータ“Ｙ”のデフォルト値は、“０”であっても良い。
【０１１３】
上述のような方法によって、例えば、より柔軟に参照信号系列を切り換えて、参照信号を送受信することができる。また、上述のような方法によって、より動的に参照信号系列を切り換えて、参照信号を送受信することができる。
【０１１４】
例えば、基地局と端末が、ＲＲＣ層における設定を行っている期間に、条件Ａを利用して参照信号を送受信することができる。すなわち、ＲＲＣ層における設定を行う際に生じる、設定が曖昧（不明確）となる期間（基地局と端末との間で、設定に不一致が生じる期間）において、条件Ａを利用して参照信号を送受信することができる。すなわち、基地局と端末が、ＲＲＣ層における設定を行っている期間であっても通信を継続することが可能となり、無線リソースを効率的に使用した通信を行うことができる。
【０１１５】
本発明に関わるプライマリー基地局、セカンダリー基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１１６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述したような実施形態におけるプライマリー基地局、セカンダリー基地局および端末の一部、または全てを、典型的には集積回路であるＬＳＩとして実現してもよい。ここで、プライマリー基地局、セカンダリー基地局および端末の各機能ブロックは個別にチップ化してもよいし、一部、または全てを集積してチップ化してもよい。また、集積回路化の手法はＬＳＩに限らず、専用回路または汎用プロセッサなどで実現しても良い。また、半導体技術の進歩によりＬＳＩに代替する集積回路化の技術が出現した場合、当該技術による集積回路を用いることも可能である。
【０１１７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１１８】
本発明は、移動局装置や基地局装置や通信方法や無線通信システムや集積回路に対して好適である。
【符号の説明】
【０１１９】
１０１  プライマリー基地局
１０２  セカンダリー基地局
１０３  回線
１０４、２０４、２０５  端末
１０５、１０６、２０６、２０７  下りリンク
３０１、４０５  上位レイヤ
３０２  信号生成部
３０３  参照信号多重部
３０４  送信信号生成部
３０５  送信部
４０１  受信部
４０２  受信信号処理部
４０３  伝送路推定部
４０４  信号処理部
７０１  マクロ基地局
７０２、７０３  ＲＲＨ
７０４  端末
７０５、７０６、７０７  カバレッジ
７０８、７０９  回線
【図１】
2013187591.tif 000008
【図２】
2013187591.tif 000009
【図３】
2013187591.tif 000010
【図４】
2013187591.tif 000011
【図５】
2013187591.tif 000012
【図６】
2013187591.tif 000013
【図７】
2013187591.tif 000014